(57)【要約】      （修正有）【課題】吐出部からの液滴の吐出により生じた微粒子が吐出部の吐出面に付着することを抑制する記録装置を提供する。【解決手段】予め定められた搬送方向Ａに搬送される記録媒体Ｐに液滴を吐出する吐出部に対する搬送方向Ａの上流側及び下流側の少なくとも一方に配置された状態とされた回転体５０が、回転して吐出部の吐出面３９に沿った気流を発生させ、吐出面３９と記録媒体Ｐとの間でのクエット流における記録媒体Ｐ側の気流と吐出面３９側の気流との流速差を低減する。【選択図】図４
2018047664.tif 000002
【特許請求の範囲】
【請求項１】
予め定められた搬送方向に搬送される記録媒体に液滴を吐出する吐出部に対する前記搬送方向の上流側及び下流側の少なくとも一方に配置された状態とされ、回転して前記吐出部の吐出面に沿った気流を発生させ、前記吐出面と前記記録媒体との間でのクエット流における前記記録媒体側の気流と前記吐出面側の気流との流速差を低減する回転体。
【請求項２】
前記記録媒体の搬送速度以上の周速度で回転する
請求項１に記載の回転体。
【請求項３】
予め定められた搬送方向に搬送される記録媒体に液滴を吐出し、前記搬送方向に沿って配置された複数の吐出部と、
前記複数の吐出部の間に配置された請求項１に記載の回転体と、
前記回転体を回転駆動する駆動部と、
を備える吐出装置。
【請求項４】
前記記録媒体に対向する対向面を有し、前記回転体の外周面が前記対向面よりも前記記録媒体側に張り出すように前記回転体を回転可能に支持する支持体
を備える請求項３に記載の吐出装置。
【請求項５】
前記駆動部は、前記回転体を前記記録媒体の搬送速度以上の周速度で回転させる
請求項４に記載の吐出装置。
【発明の詳細な説明】
【技術分野】
【０００１】
本発明は、回転体、吐出装置に関する。
【背景技術】
【０００２】
特許文献１には、一方側に空気吸引口を、他方側に空気吹き出しノズルを設け、これらの間に空気吸引口側から空気吹き出しノズル側へ空気流を生じさせるファンを設けると共に、このファンにより生じる空気流中のインクミストを捕捉するミストフィルタを設けてなる空気吸引・吹き出し装置が開示されている。
【先行技術文献】
【特許文献】
【０００３】
【特許文献１】特開２００７−１３６７６１号公報
【発明の概要】
【発明が解決しようとする課題】
【０００４】
液滴を吐出する吐出部の吐出面の下で記録媒体が搬送されると、記録媒体側での気流よりも吐出面側での気流が遅くなるクエット流が発生する場合がある。クエット流は、吐出面側での気流が遅いため、吐出部からの液滴の吐出により生じた微粒子（ミスト）が浮遊し、吐出面に付着するおそれがある。
【０００５】
本発明は、吐出面と記録媒体との間でのクエット流における記録媒体側の気流と吐出面側の気流との流速差が維持される構成に比べ、吐出部からの液滴の吐出により生じた微粒子が吐出部の吐出面に付着することを抑制することを目的とする。
【課題を解決するための手段】
【０００６】
請求項１の発明は、予め定められた搬送方向に搬送される記録媒体に液滴を吐出する吐出部に対する前記搬送方向の上流側及び下流側の少なくとも一方に配置された状態とされ、回転して前記吐出部の吐出面に沿った気流を発生させ、前記吐出面と前記記録媒体との間でのクエット流における前記記録媒体側の気流と前記吐出面側の気流との流速差を低減する。
【０００７】
請求項２の発明は、前記記録媒体の搬送速度以上の周速度で回転する。
【０００８】
請求項３の発明は、予め定められた搬送方向に搬送される記録媒体に液滴を吐出し、前記搬送方向に沿って配置された複数の吐出部と、前記複数の吐出部の間に配置された請求項１に記載の回転体と、前記回転体を回転駆動する駆動部と、を備える。
【０００９】
請求項４の発明は、前記記録媒体に対向する対向面を有し、前記回転体の外周面が前記対向面よりも前記記録媒体側に張り出すように前記回転体を回転可能に支持する支持体を備える。
【００１０】
請求項５の発明では、前記駆動部は、前記回転体を前記記録媒体の搬送速度以上の周速度で回転させる。
【発明の効果】
【００１１】
本発明の請求項１の構成によれば、吐出面と記録媒体との間でのクエット流における記録媒体側の気流と吐出面側の気流との流速差が維持される構成に比べ、吐出部からの液滴の吐出により生じた微粒子が吐出部の吐出面に付着することを抑制できる。
【００１２】
本発明の請求項２の構成によれば、回転体の周速度が記録媒体の搬送速度未満である場合に比べ、吐出部からの液滴の吐出により生じた微粒子が吐出部の吐出面に付着することを抑制できる。
【００１３】
本発明の請求項３の構成によれば、微粒子の吐出面への付着に起因する吐出部の吐出不良を抑制できる。
【００１４】
本発明の請求項４の構成によれば、回転体の外周面が対向面上に配置される構成に比べ、微粒子の吐出面への付着に起因する吐出部の吐出不良を抑制できる。
【００１５】
本発明の請求項５の構成によれば、回転体の周速度が記録媒体の搬送速度未満である場合に比べ、吐出部からの液滴の吐出により生じた微粒子が吐出部の吐出面に付着することを抑制できる。
【図面の簡単な説明】
【００１６】
【図１】本実施形態に係る画像形成装置の構成を示す概略図である。
【図２】本実施形態に係る吐出ユニットの構成を示す概略図である。
【図３】比較例に係る吐出ユニットの構成を示す概略図である。
【図４】本実施形態に係る吐出ユニットの一部を拡大して示す概略図である。
【図５】変形例に係る吐出ユニットの一部を拡大して示す概略図である。
【図６】評価結果を示すグラフである。
【図７】評価結果を示すグラフである。
【発明を実施するための形態】
【００１７】
以下に、本発明に係る実施形態の一例を図面に基づき説明する。
【００１８】
（画像形成装置１０）
まず、画像形成装置１０について説明する。図１は、画像形成装置１０の構成を示す概略図である。
【００１９】
画像形成装置１０は、搬送方向に長尺な連帳紙Ｐ（記録媒体の一例）にインク滴を吐出して連帳紙Ｐに画像を形成する装置であり、液滴を吐出する吐出装置の一例として機能する。具体的には、画像形成装置１０は、図１に示されるように、搬送機構２０と、吐出ユニット３０と、を備えている。
【００２０】
（搬送機構２０）
搬送機構２０は、予め定められた搬送方向に連帳紙Ｐを搬送する機構である。具体的には、搬送機構２０は、図１に示されるように、連帳紙Ｐを巻き出す巻出ロール２２と、連帳紙Ｐを巻き取る巻取ロール２４と、連帳紙Ｐを搬送する複数の搬送ロール２６と、を有している。巻取ロール２４は、駆動部２８によって回転駆動される。これにより、巻取ロール２４が連帳紙Ｐを巻き取ると共に、巻出ロール２２が連帳紙Ｐを巻き出す。
【００２１】
複数の搬送ロール２６は、巻出ロール２２と巻取ロール２４との間で連帳紙Ｐに巻き掛けられている。これにより、巻出ロール２２から巻取ロール２４までの連帳紙Ｐの搬送経路が定められている。複数の搬送ロール２６は、巻取ロール２４が連帳紙Ｐを巻き取ることで、巻取ロール２４側へ進行する連帳紙Ｐに従動回転する。なお、各図では、連帳紙Ｐの搬送方向（以下、単に「搬送方向」という場合がある）を、適宜、矢印Ａにて示している。
【００２２】
（吐出ユニット３０）
吐出ユニット３０は、連帳紙Ｐにインク滴（液滴の一例）を吐出するユニットである。具体的には、吐出ユニット３０は、図２に示されるように、支持体の一例としてのユニット本体４０と、吐出部の一例としての吐出ヘッド３２Ｙ、３２Ｍ、３２Ｃ、３２Ｋ（以下、３２Ｙ〜３２Ｋという）と、回転体の一例としての回転ロール５０と、駆動部の一例としての駆動モータ６０と、を有している。
【００２３】
ユニット本体４０は、連帳紙Ｐの画像が形成される画像形成面Ｐ１に対向する下面４２（対向面）を有している。
【００２４】
吐出ヘッド３２Ｙ〜３２Ｋは、この順で、連帳紙Ｐの搬送方向の上流側へ向かって、間隔をおいてユニット本体４０に配置されている。各吐出ヘッド３２Ｙ〜３２Ｋは、連帳紙Ｐの幅方向（連帳紙Ｐの搬送方向と交差する交差方向）に長さを有している。
【００２５】
各吐出ヘッド３２Ｙ〜３２Ｋは、連帳紙Ｐの画像形成面Ｐ１に対向するノズル面３９（吐出面の一例）を有している。各ノズル面３９は、ユニット本体４０の下面４２と同一面上に配置されている。この各ノズル面３９及びユニット本体４０の下面４２によって、吐出ユニット３０の底面３０Ｂが構成されている。
【００２６】
各吐出ヘッド３２Ｙ〜３２Ｋは、ノズル面３９に形成されたノズル（図示省略）からイエロー（Ｙ）、マゼンタ（Ｍ）、シアン（Ｃ）、ブラック（Ｋ）の各色のインク滴を連帳紙Ｐに吐出して、連帳紙Ｐに画像を形成する。
【００２７】
なお、ノズル面３９から吐出されるインク滴には、図３に示されるように、主滴Ｋ１と、主滴Ｋ１よりも粒子径が小さい副滴Ｋ２と、が含まれる。さらに、ノズル面３９からインク滴を吐出することで、副滴Ｋ２よりも粒子径が小さいミストＭ（微粒子の一例）が発生する。
【００２８】
本実施形態では、ノズル面３９（吐出ユニット３０の底面３０Ｂ）に対して予め定められた隙間を有した状態で、連帳紙Ｐがノズル面３９に沿って搬送される。これにより、搬送方向Ａへ向かう気流は、連帳紙Ｐ側（連帳紙Ｐの直上）での気流（Ｋ１０参照）よりもノズル面３９側（ノズル面３９の直下）での気流（Ｋ２０参照）が遅くなるクエット流ＫＡが発生する。
【００２９】
（回転ロール５０及び駆動モータ６０）
回転ロール５０は、図２に示されるように、５つがユニット本体４０に回転可能に設けられている。具体的には、回転ロール５０は、各吐出ヘッド３２Ｙ〜３２Ｋの間、吐出ヘッド３２Ｋの搬送方向上流側、及び吐出ヘッド３２Ｙの搬送方向下流側に配置された状態とされている。この回転ロール５０は、例えば、外周部分にゴム層を有するゴムロールで構成されている。
【００３０】
回転ロール５０の外周面の下端は、ユニット本体４０の下面４２の面上に配置されている。各回転ロール５０は、各吐出ヘッド３２Ｙ〜３２Ｋに対する搬送方向に沿った間隔が、例えば、同じとされている。
【００３１】
駆動モータ６０は、回転ロール５０を図４における反時計回り方向に回転駆動する。これにより、回転ロール５０は、ユニット本体４０の下面４２において、搬送方向下流の向きに回転する。このように、回転ロール５０が回転することで、各吐出ヘッド３２Ｙ〜３２Ｋのノズル面３９に沿った気流を発生させる。
【００３２】
したがって、本実施形態では、各吐出ヘッド３２Ｙ〜３２Ｋの上流側及び下流側において、連帳紙Ｐに対するノズル面３９側で、各回転ロール５０によって局所的に気流を発生させる。これにより、ノズル面３９（吐出ユニット３０の底面３０Ｂ）と連帳紙Ｐとの間でのクエット流における連帳紙Ｐ側の気流とノズル面３９側の気流との流速差を低減する。
【００３３】
すなわち、本実施形態では、連帳紙Ｐの搬送によるクエット流ＫＡとは逆勾配のクエット流ＫＣを回転ロール５０の回転より生成し、クエット流ＫＡがクエット流ＫＣによって、連帳紙Ｐ側での気流（Ｋ１０参照）とノズル面３９側での気流（Ｋ２０参照）との差が小さい空気の流れＫＢに変化する。
【００３４】
なお、回転ロール５０の周速度は、連帳紙Ｐの搬送速度と同じであれば、理論的には、クエット流ＫＡにおける連帳紙Ｐ側の気流とノズル面３９側の気流との流速差が解消される。さらに、回転ロール５０の周速度を連帳紙Ｐの搬送速度よりも速くすれば、理論的には、ノズル面３９側での気流（Ｋ２０参照）が連帳紙Ｐ側での気流（Ｋ１０参照）よりも速くなる。
【００３５】
（本実施形態に係る作用）
本実施形態では、各回転ロール５０が、各吐出ヘッド３２Ｙ〜３２Ｋの上流側及び下流側において、連帳紙Ｐに対するノズル面３９側で局所的に気流を発生させる。これにより、ノズル面３９（吐出ユニット３０の底面３０Ｂ）と連帳紙Ｐとの間でのクエット流ＫＡにおける連帳紙Ｐ側の気流とノズル面３９側の気流との流速差を低減する。
【００３６】
ここで、回転ロール５０を有さない図３に示す構成（比較例）では、ノズル面３９と連帳紙Ｐとの間でのクエット流ＫＡにおける連帳紙Ｐ側の気流とノズル面３９側の気流との流速差が維持される。このため、比較例の構成では、ノズル面３９と連帳紙Ｐとの間の空間において、ノズル面３９側に空気のよどみができ、ノズル面３９からインク滴を吐出することで発生したミストＭが浮遊する。
【００３７】
この浮遊したミストＭが、ミストＭを発生させた各吐出ヘッド３２Ｙ〜３２Ｋのノズル面３９の下流側部分や、ミストＭを発生させた各吐出ヘッド３２Ｍ、３２Ｃ、３２Ｋの搬送方向下流側にある各吐出ヘッド３２Ｙ、３２Ｍ、３２Ｃのノズル面３９に付着しやすい。
【００３８】
なお、回転ロール５０を有さない構成としては、例えば、吐出ユニット３０の上流側にファンなどの送風機を設けて、ノズル面３９と連帳紙Ｐとの間に送風する構成も考えられる。この構成では、ノズル面３９と連帳紙Ｐとの間の空間において、ノズル面３９側と連帳紙Ｐ側とで均等に空気が流れるため、連帳紙Ｐに対するノズル面３９側で局所的な気流が発生しない。このため、連帳紙Ｐ側の気流とノズル面３９側の気流との流速差が低減されない。
【００３９】
そして、前述の比較例に対して、本実施形態では、ノズル面３９と連帳紙Ｐとの間でのクエット流ＫＡにおける連帳紙Ｐ側の気流とノズル面３９側の気流との流速差を低減するため、連帳紙Ｐに対するノズル面３９側でも空気が流れる。このため、比較例に比べ、ノズル面３９と連帳紙Ｐとの間の空間において、ノズル面３９側に空気のよどみができにくく、ミストＭが浮遊しにくい。
【００４０】
したがって、比較例に比べ、ミストＭが各吐出ヘッド３２Ｙ〜３２Ｋのノズル面３９に付着することが抑制される。
【００４１】
また、回転ロール５０の周速度を連帳紙Ｐの搬送速度と同じとすれば、理論的には、クエット流ＫＡにおける連帳紙Ｐ側の気流とノズル面３９側の気流との流速差が解消される。これにより、連帳紙Ｐ側の気流とノズル面３９側の気流との流速が同等の速度となり、ノズル面３９側で生じる空気のよどみが解消される。したがって、回転ロール５０の周速度が連帳紙Ｐの搬送速度よりも遅い場合に比べ、ミストＭが各吐出ヘッド３２Ｙ〜３２Ｋのノズル面３９に付着することが抑制される。
【００４２】
さらに、回転ロール５０の周速度を連帳紙Ｐの搬送速度よりも速くすれば、理論的には、ノズル面３９側での気流が連帳紙Ｐ側での気流よりも速くなる。これにより、ミストＭが各吐出ヘッド３２Ｙ〜３２Ｋのノズル面３９の直下で浮遊せず、搬送方向下流側へ流れ、ミストＭが各吐出ヘッド３２Ｙ〜３２Ｋのノズル面３９に付着することが抑制される。
【００４３】
このように、ミストＭが各吐出ヘッド３２Ｙ〜３２Ｋのノズル面３９に付着することが抑制されるので、ミストＭのノズル面３９への付着に起因する各吐出ヘッド３２Ｙ〜３２Ｋの吐出不良が抑制される。
【００４４】
（変形例）
図５に示されるように、ユニット本体４０（支持体の一例）の下面４２における回転ロール５０が配置された配置位置に空間４８が形成された構成であってもよい。この構成では、ユニット本体４０は、空間４８が形成されることで、ノズル面３９よりも上方側に形成された対向面４９を有している。そして、回転ロール５０の外周面が、対向面４９よりも連帳紙Ｐ側に張り出すように回転可能に支持されている。
【００４５】
この構成では、連帳紙Ｐに対するノズル面３９側の気流が、壁面（ユニット本体４０の下面４２）による抵抗を受けにくくなるため、当該気流の流速が速くなる。このため、ミストＭが浮遊しにくく、ミストＭが各吐出ヘッド３２Ｙ〜３２Ｋのノズル面３９に付着することが抑制される。
【００４６】
なお、回転ロール５０の外周面が対向面から張り出す構成としては、空間４８を有さない下面４２から回転ロール５０の外周面が連帳紙Ｐ側に張り出す構成であってもよい。
【００４７】
また、本実施形態では、記録媒体の一例として連帳紙Ｐを用いたが、これに限られない。例えば、記録媒体の一例としては、カット紙であってもよい。
【００４８】
また、本実施形態では、回転体の一例として、回転ロール５０を用いたが、これに限られない。例えば、回転体の一例としては、回転ベルトなどであってもよく、回転する部材であればよい。また、回転体の一例としては、外周面に突起やフィンなどを有していてもよい。
【００４９】
また、本実施形態では、回転体の一例としての回転ロール５０は、各吐出ヘッド３２Ｙ〜３２Ｋに対する搬送方向の上流側及び下流側のそれぞれに配置されていたが、これに限られない。回転体としては、各吐出ヘッド３２Ｙ〜３２Ｋに対する搬送方向の上流側及び下流側のいずれか一方に配置される構成であってもよい。
【００５０】
本発明は、上記の実施形態に限るものではなく、その主旨を逸脱しない範囲内において種々の変形、変更、改良が可能である。例えば、上記に示した変形例は、適宜、複数を組み合わせて構成してもよい。
【００５１】
〈評価〉
（回転ロール５０の周速度）
回転ロール５０の周速度と、ノズル面３９直下での気流の流速と、の関係について評価を行った。
【００５２】
本評価は、具体的には、以下の条件で行った（図４参照）。
吐出ヘッド３２Ｋのノズル面３９の搬送方向Ａに沿った幅：３０ｍｍ
回転ロール５０の直径：４０ｍｍ
ノズル面３９と連帳紙Ｐとの距離：１ｍｍ
吐出ヘッド３２Ｋと回転ロール５０との距離Ｘ：５０ｍｍ
【００５３】
なお、距離Ｘは、吐出ヘッド３２Ｋにおける短手方向（搬送方向Ａに沿った方向）の中央から回転ロール５０の中心までの搬送方向Ａに沿った距離である。
【００５４】
そして、本評価では、回転ロール５０の周速度を徐々に速くした場合におけるノズル面３９直下での気流の流速をシミュレーション解析により算出した。
【００５５】
この結果、図６（Ａ）に示されるように、回転ロール５０の周速度を徐々に速くすると、ノズル面３９直下での気流の流速も徐々に速くなることがわかった。
【００５６】
（吐出ヘッド３２Ｋと回転ロール５０との距離Ｘ）
吐出ヘッド３２Ｋと回転ロール５０との距離Ｘと、ノズル面３９直下での気流の流速と、の関係について評価を行った。
【００５７】
本評価は、以下の条件で行った（図４参照）。
吐出ヘッド３２Ｋのノズル面３９の搬送方向Ａに沿った幅：３０ｍｍ
回転ロール５０の直径：４０ｍｍ
ノズル面３９と連帳紙Ｐとの距離：１ｍｍ
回転ロール５０の周速度：連帳紙Ｐの搬送速度（１００ｍ／分）と同じ速度
【００５８】
そして、本評価では、吐出ヘッド３２Ｋと回転ロール５０との距離Ｘを最小値（３５ｍｍ）から実用範囲内（２００ｍｍ）で徐々に長くした。
【００５９】
この結果、図６（Ｂ）に示されるように、ノズル面３９直下での気流の流速にほとんど変化が生じなかった。
【００６０】
（回転ロール５０の配置位置に形成される空間４８の高さＨ）
回転ロール５０の配置位置に形成される空間４８の高さＨ（図５参照）と、ノズル面３９直下での気流の流速と、の関係について評価を行った。
【００６１】
本評価は、以下の条件で行った（図５参照）。
吐出ヘッド３２Ｋのノズル面３９の搬送方向Ａに沿った幅：３０ｍｍ
回転ロール５０の直径：４０ｍｍ
ノズル面３９と連帳紙Ｐとの距離：１ｍｍ
回転ロール５０の周速度：連帳紙Ｐの搬送速度（１００ｍ／分）と同じ速度
吐出ヘッド３２Ｋと回転ロール５０との距離Ｘ：５０ｍｍ
【００６２】
そして、本評価では、回転ロール５０の配置位置に空間４８を形成し、当該空間４８の高さＨを実用範囲内（５０ｍｍ）で徐々に高くした。
【００６３】
この結果、図７（Ａ）に示されるように、当該空間４８が形成されていない場合に比べ、当該空間４８を形成した場合において、ノズル面３９直下での気流の流速が速くなることがわかった。なお、ノズル面３９側の気流の流速は、高さＨが５ｍｍになるまでの範囲で徐々に速くなり、高さＨが５ｍｍ以上になると、飽和する。
【００６４】
なお、回転ロール５０の配置位置に空間４８を形成すると、ノズル面３９側の気流の流速が速くなるのは、気流が壁面（ユニット本体４０の下面４２）による抵抗を受けないためと考えられる。
【００６５】
（回転ロール５０の配置位置に空間４８を形成した構成における吐出ヘッド３２Ｋと回転ロール５０との距離Ｘ）
回転ロール５０の配置位置に空間４８を形成した構成において（図５参照）、吐出ヘッド３２Ｋと回転ロール５０との距離Ｘと、ノズル面３９直下での気流の流速と、の関係について評価を行った。
【００６６】
本評価は、以下の条件で行った（図５参照）。
吐出ヘッド３２Ｋのノズル面３９の搬送方向Ａに沿った幅：３０ｍｍ
回転ロール５０の直径：４０ｍｍ
ノズル面３９と連帳紙Ｐとの距離：１ｍｍ
回転ロール５０の周速度：連帳紙Ｐの搬送速度（１００ｍ／分）と同じ速度
回転ロール５０の配置位置に形成した空間４８の高さＨ：５ｍｍ
【００６７】
そして、本評価では、吐出ヘッド３２Ｋと回転ロール５０との距離Ｘを最小値（３５ｍｍ）から実用範囲内（２００ｍｍ）で徐々に長くした。
【００６８】
この結果、図７（Ｂ）に示されるように、距離Ｘを長くしていくと、ノズル面３９直下での気流の流速が速くなることがわかった。具体的には、ノズル面３９直下での気流の流速は、距離Ｘが５０ｍｍになるまでの範囲で徐々に速くなり、当該流速は、距離Ｘが５０ｍｍで最大となる。その後、距離Ｘが１００ｍｍとなるまで低下するが、その後は、ほぼ一定の速度を保つ。
【００６９】
回転ロール５０の配置位置に空間４８を形成した構成において、距離Ｘを長くしていくと、ノズル面３９直下での気流の流速が速くなるのは、壁面（ユニット本体４０の下面４２）がなくなることで、ノズル面３９側の気流が、回転ロール５０の中心部の慣性流によって加速を受けるためと考えられる。
【符号の説明】
【００７０】
１０   画像形成装置（吐出装置の一例）
３２Ｙ〜３２Ｋ吐出ヘッド（吐出部の一例）
３９   ノズル面（吐出面の一例）
４０   ユニット本体（支持体の一例）
４９   対向面
５０   回転ロール（回転体の一例）
Ｐ     連帳紙（記録媒体の一例）
【図１】
2018047664.tif 000003
【図２】
2018047664.tif 000004
【図３】
2018047664.tif 000005
【図４】
2018047664.tif 000006
【図５】
2018047664.tif 000007
【図６】
2018047664.tif 000008
【図７】
2018047664.tif 000009
【手続補正書】
【提出日】平成29年3月23日(2017.3.23)
【手続補正１】
【補正対象書類名】明細書
【補正対象項目名】０００６
【補正方法】変更
【補正の内容】
【０００６】
請求項１の発明は、予め定められた搬送方向に搬送される記録媒体に液滴を吐出する吐出部に対する前記搬送方向の上流側及び下流側の少なくとも一方に、前記吐出部の吐出面の延長線上に配置された状態とされ、前記搬送方向に直交する記録媒体幅方向に沿った回転軸にて回転して前記吐出部の吐出面に沿った気流を発生させ、前記吐出面と前記記録媒体との間でのクエット流における前記記録媒体側の気流と前記吐出面側の気流との流速差を低減する。
【手続補正２】
【補正対象書類名】特許請求の範囲
【補正対象項目名】全文
【補正方法】変更
【補正の内容】
【特許請求の範囲】
【請求項１】
予め定められた搬送方向に搬送される記録媒体に液滴を吐出する吐出部に対する前記搬送方向の上流側及び下流側の少なくとも一方に、前記吐出部の吐出面の延長線上に配置された状態とされ、前記搬送方向に直交する記録媒体幅方向に沿った回転軸にて回転して前記吐出部の吐出面に沿った気流を発生させ、前記吐出面と前記記録媒体との間でのクエット流における前記記録媒体側の気流と前記吐出面側の気流との流速差を低減する回転体。
【請求項２】
前記記録媒体の搬送速度以上の周速度で回転する
請求項１に記載の回転体。
【請求項３】
予め定められた搬送方向に搬送される記録媒体に液滴を吐出し、前記搬送方向に沿って配置された複数の吐出部と、
前記複数の吐出部の間に配置された請求項１に記載の回転体と、
前記回転体を回転駆動する駆動部と、
を備える吐出装置。
【請求項４】
前記記録媒体に対向する対向面を有し、前記回転体の外周面が前記対向面よりも前記記録媒体側に張り出すように前記回転体を回転可能に支持する支持体
を備える請求項３に記載の吐出装置。
【請求項５】
前記駆動部は、前記回転体を前記記録媒体の搬送速度以上の周速度で回転させる
請求項４に記載の吐出装置。